(57)【要約】【課題】【解決手段】本発明は、移動無線通信ネットワークにおける移動無線通信ネットワーク装置と移動無線通信装置との間の間欠受信制御方法を提供する。この制御方法は、例えば、ネットワーク内における移動無線通信装置の移動速度が減少した場合、装置で使用される間欠受信期間が長くなる方向に制御されるというように、移動無線通信装置の移動速度に応じて間欠受信期間の長さを制御するステップを含む。【選択図】図１
2010530648.tif 000002
【特許請求の範囲】
【請求項１】
移動無線通信ネットワークにおける移動無線通信ネットワーク装置と移動無線通信装置との間の間欠受信制御方法であって、前記ネットワークにおける前記移動無線通信装置の移動速度に応じて、間欠受信期間の長さを制御するステップを含む間欠受信制御方法。
【請求項２】
前記間欠受信期間は、前記移動無線通信ネットワーク装置に向かう方向もしくはその逆方向への前記移動無線通信装置の速度に応じて制御される請求項１記載の間欠受信制御方法。
【請求項３】
前記移動無線通信装置が、タイミングオフセット値を利用して、前記速度を推定するステップを含む請求項１又は請求項２記載の間欠受信制御方法。
【請求項４】
前記タイミングオフセットは、ダウンリンク信号から抽出される請求項３記載の間欠受信制御方法。
【請求項５】
前記間欠受信期間は、前記移動無線通信装置の速度が考慮されたＵＬタイミング同期要求に対応するものである請求項１乃至請求項４の何れか一つに記載の間欠受信制御方法。
【請求項６】
前記移動無線通信ネットワーク装置が、前記速度を推定するステップを含む請求項１又は請求項２記載の間欠受信制御方法。
【請求項７】
前記速度は、好ましくは、タイミングオフセット値を利用して、推定される請求項６記載の間欠受信制御方法。
【請求項８】
前記速度は、タイミングアドバンス値の変化を測定することにより、推定される請求項７記載の間欠受信制御方法。
【請求項９】
前記速度は、前記移動無線通信装置から受信したＣＱＩ信号を利用して推定される請求項７又は請求項８記載の間欠受信制御方法。
【請求項１０】
さらに、前記移動無線通信ネットワーク装置から、間欠受信期間の変更が初期化されるべきことを前記移動無線通信装置に通知するステップを含む請求項６乃至請求項９の何れか一つに記載の間欠受信制御方法。
【請求項１１】
前記間欠受信期間の長さは、前記移動無線通信装置の移動速度に応じて、階段的に変化する請求項１乃至請求項１０の何れか一つに記載の間欠受信制御方法。
【請求項１２】
互いに異なる間欠受信期間の範囲にそれぞれ対応した一連のしきい値を利用する請求項１１記載の間欠受信制御方法。
【請求項１３】
前記しきい値を、ＢＣＨでブロードキャストするか、あるいは、ＲＲＣ接続確立中にユニキャストするステップを含む請求項１２記載の間欠受信制御方法。
【請求項１４】
前記しきい値は、セルサイズと、サイクリックプレフィックス長と、規定される測定精度とのうちの少なくとも１つを考慮して、前記移動無線通信ネットワーク装置で決定される請求項１２又は請求項１３記載の間欠受信制御方法。
【請求項１５】
移動無線通信ネットワークで間欠受信を行う機能を備えている移動無線通信装置であって、自身の移動速度を推定する機能と、その推定速度をしきい値に比較する機能と、さらに、その比較の結果に応じた間欠受信期間の変更のために前記ネットワークに信号を送信する機能とを備えている移動無線通信装置。
【請求項１６】
前記速度は、タイミングオフセット値を利用して推定する機能を備えている請求項１５記載の移動無線通信装置。
【請求項１７】
前記タイミングオフセット値は、ダウンリンク信号通信から得られる請求項１６記載の移動無線通信装置。
【請求項１８】
段階的に増大又は減少する間欠受信期間の一つにそれぞれ対応している一連のしきい値を利用する機能を備えている請求項１６又は請求項１７記載の移動無線通信装置。
【請求項１９】
ＢＣＨ信号通信、あるいは、ＲＲＣ接続確立中に前記しきい値を受信する機能を備えている請求項１６又は請求項１７又は請求項１８記載の移動無線通信装置。
【請求項２０】
移動無線通信ネットワークで、移動無線通信装置と間欠受信を行う機能を備えた移動無線通信ネットワーク装置であって、前記移動無線通信装置の移動速度を推定する機能と、その推定された速度をしきい値に比較する機能と、さらに、その比較の結果に応じた間欠受信期間の変更のために前記移動無線通信装置に信号を送信する機能とを備えている移動無線通信ネットワーク装置。
【請求項２１】
前記速度は、タイミングオフセット値を利用して推定される請求項２０記載の移動無線通信ネットワーク装置。
【請求項２２】
前記オフセット値は、ＴＡ値の変化を利用して得られる請求項２１記載の移動無線通信ネットワーク装置。
【請求項２３】
前記オフセット値は、前記移動無線通信装置から受信したＣＱＩ信号を利用して得られる請求項２２記載の移動無線通信ネットワーク装置。
【請求項２４】
異なる間欠受信期間を利用するという通知を移動無線通信装置に向けて送信する機能を備えている請求項２３記載の移動無線通信ネットワーク装置。
【請求項２５】
少なくともＢＣＨ信号の一つでしきい値をブロードキャストするか、あるいは、ＲＲＣ接続確立中にしきい値をユニキャストする機能を備えている請求項２４記載の移動無線通信ネットワーク装置。
【請求項２６】
前記しきい値は、セルサイズとサイクリックプレフィックス長と測定精度のうちの少なくとも１つを考慮して、移動無線通信ネットワーク装置で決定される請求項２０乃至請求項２５の何れか一つに記載の方法装置。
【請求項２７】
移動無線通信ネットワーク装置と移動無線通信装置との間の間欠受信制御方法であって、添付図面の図３を参照して実質的に上記されている間欠受信制御方法。
【請求項２８】
添付図面の図３を参照して実質的に上記されている移動無線通信装置。
【請求項２９】
添付図面の図３を参照して実質的に上記されている移動無線通信ネットワーク装置。
【発明の詳細な説明】
【技術分野】
【０００１】
本発明は、移動無線通信ネットワークにおける間欠受信に関し、特に、間欠受信制御方法、および、関連する移動無線通信装置と移動無線通信ネットワーク装置に関するものである。
【背景技術】
【０００２】
間欠受信（ＤＲＸ：discontinuous-reception）は、ユーザ装置（ＵＥ：User-Equipment）端末のような移動無線通信装置を繰り返し休止状態にして、省電力化および端末動作の効率化を図るために、移動無線通信ネットワークで採用されている。
【０００３】
実際に、間欠受信は、ロング・ターム・エボリューション（ＬＴＥ：Long-Term-Evolution）システムのような新しいネットワークシステムにとって、非常に魅力的な動作方法であると考えられている。
【０００４】
ＤＲＸ動作による省電力化を有効なものとするために、ＬＴＥシステムはパケット中心であり、また、ＬＴＥシステムでの信号伝達方式は、一般的に、バースト（busty）と不連続である。また、ＵＥが比較的長い期間に亘って接続状態を維持すると想定されるので、効率的なＤＲＸ動作が、接続状態のＵＥにとって重要な要件となる。
【０００５】
しかしながら、ＤＲＸ動作による比較的長いＤＲＸ期間は魅力的である反面、ＵＥは、当該ＵＥの移動性に起因して、長い休止期間の後にアップリンク（ＵＬ:uplink）タイミングを失う虞がある。すなわち、現在のタイミングアドバンス（ＴＡ：timing-advance）値は、無効となる虞がある。
【０００６】
３ＧＰＰ ＵＬタイミング制御について、現在では、ＵＬタイミングは、接続確立のサービスのＱoＳ要求が考慮された必要性に基づいたものである。もし、ＵＥが、データ伝送再開時の立ち上がり時間（レイテンシ）を最小にするために、接続状態でＵＬタイミングを維持する必要があるならば、ＵＥは、ＵＬタイミングの更新を周期的に行わなくてはならない。最近の３ＧＰＰ ＲＡＮ１およびＲＡＮ２ミーティングでの様々な提言では、ＴＡの誤差が許容限界という条件下で最も速いＵＥ速度に基づいて、更新頻度を計算することを提案している。このことから、最速ＵＥ速度を３５０km/ｈとすると、ＵＬタイミングの更新頻度は２Hzと導き出される。しかしながら、省電力化を最大するために休止期間中には、ＵＥは、データを送信すべきでないこと、および、起動期間中はデータの送受信のみを行うことという要求のために、上記のようにＵＬタイミングの更新頻度を２Hzにすると、ＤＲＸ期間は０．５秒以下に制限される。
【０００７】
しかしながら、特に、ＵＥの速度が様々に変化することを考慮すると、必ずしも全ての動作状況において省電力化できるとは限らないから、間欠受信の採用は、不利に、制限される。
【０００８】
特に、ＤＲＸ動作の採用による省電力化は、比較的多くのＵＥ端末に対して起こるように、セル内でのＵＥ端末の移動速度が３５０km/ｈよりもかなり遅いときに、不利になる。
【発明の概要】
【発明が解決しようとする課題】
【０００９】
この発明は、既知のシステム、方法、装置よりも優れた間欠受信制御方法を採用した間欠受信通信システムと、関連する移動無線通信装置と、移動無線通信ネットワーク装置とを提供するものである。
【課題を解決するための手段】
【００１０】
この発明の第１の態様は、移動無線通信ネットワークにおける移動無線通信ネットワーク装置と移動無線通信装置との間の間欠受信の制御方法を与えることであり、ネットワーク内での移動無線通信装置の移動速度に応じて間欠受信期間の長さを制御するステップを含むものである。
【００１１】
この発明は、間欠受信期間の長さを、例えば移動無線通信ネットワークのセル内での移動無線通信装置の速度に応じて変化させることにより、移動無線通信装置が比較的ゆっくり移動しているときに移動無線通信装置で省電力化を図るべく休止期間の長さが増加する限りにおいて、有効である。
【００１２】
以下の説明にあるように、移動無線通信装置が比較的ゆっくり移動していることが判明したとき、アップリンク（ＵＬ）タイミングの更新は、間欠受信期間の増大がＵＬタイミング同期に影響を与えずに行うことができる程度に、より少ない頻度で要求されることが分かる。
【００１３】
好ましくは、間欠受信の期間は、移動無線通信ネットワーク装置に向かう方向へ、又は、その反対に移動する移動無線通信装置の速度に基づいて、制御される。
【００１４】
一つの実施形態では、方法は、タイミングオフセット信号を用いて、移動無線通信装置で速度を推定するステップを含む。
【００１５】
特に、前記タイミングオフセット信号は、例えば、ダウンリンク参照信号（ＤＬ ＲＳ）のようなダウンリンク（ＤＬ）信号通信から抽出できる。
【００１６】
都合良く、間欠受信期間は、それゆえ、移動無線通信装置の速度に関連しているＵＬタイミング同期要求に応じることができる。
【００１７】
別の実施形態では、移動無線通信ネットワーク装置が、前記速度を、好ましくはタイミングオフセット信号を用いて、測定する。
【００１８】
特に、前記速度は、タイミングアドバンス（ＴＡ）の変化を測定することによって、また、移動無線通信装置から受信したＣＱＩ信号を利用して、測定される。
【００１９】
好ましくは、方法は、さらに、移動無線通信ネットワーク装置から移動無線通信装置へ、間欠受信期間の変更が初期化されるべきことを通知するステップを含む。
【００２０】
特に有利な特徴としては、間欠受信期間は、移動無線通信装置の移動速度に応じて、段階的に、増大または減少される。
【００２１】
この方法では、一連の速度しきい値が設定され、それぞれの速度しきい値は、別々の間欠受信期間に対応している。
【００２２】
好ましくは、この方法は、ＢＣＨ信号通信でもって前記しきい値をブロードキャストするステップ、あるいは、それに代えて、前記しきい値をＲＲＣ接続確立中にユニキャストするステップを含む。
【００２３】
実際には、しきい値は、移動体無線通信ネットワーク装置において、セルの大きさとサイクリックプレフィックス（cyclic prefix）長と測定精度のうちの少なくとも一つを考慮して、決定される。
【００２４】
この発明の別の態様では、移動無線通信ネットワーク内での間欠受信機能と、移動速度の測定機能と、その測定速度をしきい値に比較する機能とを備えた移動無線通信装置が提案される。さらに、その装置は、前記比較結果に応じて間欠受信期間を変更するために前記ネットワークに対して信号通信する機能を備えている。
【００２５】
さらに、その移動無線通信装置は、タイミングオフセット値に基づいて前記速度の大きさを推定する機能を備える。
【００２６】
具体的には、タイミングオフセット値は、ＤＬ信号、特にＤＬ ＲＳから測定される。
【００２７】
この方法では、間欠受信期間は、移動無線通信装置の移動速度を考慮してＵＬタイミング同期要求に応じて設定されることが分かる。
【００２８】
さらにまた、一連のしきい値は、それぞれ、段階的に増大、又は、減少する間欠受信期間のうちの一つに対応して設定されている。
【００２９】
移動無線通信装置は、さらに、ＢＣＨ信号通信によって、あるいは、それに代えて、ＲＲＣ接続確立中に受信される前記しきい値を受信する機能を持つことができる。
【００３０】
さらにこの発明の別の態様では、移動無線通信ネットワーク内で移動無線通信装置と間欠受信を行う機能を備えた移動無線通信ネットワーク装置が提案される。そのネットワーク装置は、移動無線通信装置の移動速度の測定機能と、その測定された速度をしきい値に比較する機能とを備える。さらに、当該ネットワーク装置は、その比較結果に対応する間欠受信期間に変更させるための信号を移動無線通信装置に送信する機能が備えられている。
【００３１】
さらに、前記速度は、移動無線通信ネットワーク装置によって、タイミングオフセット値を参照して、測定される。
【００３２】
さらに、タイミングオフセット値は、ＴＡ値の変化、および、移動無線通信装置から受信したＣＱＩ信号を参照することによって、測定される。
【００３３】
実際には、移動無線通信ネットワーク装置は、間欠受信期間の変更のために移動無線通信装置に信号を送信する機能を持つことができる。
【００３４】
さらに、移動無線通信ネットワーク装置は、前記しきい値をＢＣＨ信号通信によりブロードキャストする機能、あるいは、ＲＲＣ接続確立中に前記しきい値をユニキャストする機能が備えられている。
【００３５】
さらに、そのしきい値は、移動無線通信ネットワーク装置によって、セルの大きさとサイクリックプレフィックス長と測定精度のうちの少なくとも一つを考慮して決定される。
【００３６】
以下の説明で明らかになるように、この発明は、ｅＮＢのようなネットワーク装置に向かう方向あるいは逆方向に移動しているＵＥの速度を推定するために、また、そのようなＵＥ速度に応じたＵＬタイミング更新頻度を与えるために、広帯域のＤＬ ＤＳ１（downlink reference signal 1）のようなダウンリンク信号を利用して得られるタイミングオフセット値を利用できる方法を提供する。
【００３７】
この発明の方法は、例えば３ＧＰＰ ＬＴＥでのＬＴＥ＿ＡＣＴＩＶＥのような、接続状態でのＤＲＸ動作に対する特有な適用性を見出し、さらに、本発明の方法は、ＵＬタイミングを維持することを要求されたゆっくり移動するＵＥに、省電力化のために比較的長いＤＲＸ周期を設定するものである。
【図面の簡単な説明】
【００３８】
【図１】ＬＴＥシステムでの間欠受信期間を表すタイミング図である。
【図２】タイミングオフセット値を表すタイミング図である。
【図３】本発明に係る実施形態における無線通信装置および移動無線通信ネットワーク装置のための信号通信の図である。
【発明を実施するための形態】
【００３９】
この発明は、さらに、次のような添付の図面に基づいて例示的に以下に説明される。
すなわち、図１は、ＬＴＥシステムでの間欠受信期間を表すタイミング図である。
図２は、タイミングオフセット値を表すタイミング図である。
図３は、本発明に係る実施形態における無線通信装置および移動無線通信ネットワーク装置のための信号通信の図である。
【００４０】
まず、図１に戻ると、この図１には、信号通信の様子が示されている。つまり、同図において、ＬＴＥネットワークでのｅＮＢのような移動無線通信ネットワーク装置で信号が発生し、当該信号が送信され、さらに、当該送信信号が、ＬＴＥネットワーク内で間欠受信を行っているＵＥのような移動無線通信装置で受信される様子が示されている。
【００４１】
すなわち、ｅＮＢにおいて、データ１０は、それぞれの間欠受信期間の開始時にｅＮＢからＵＥへの送信動作１２の前に、まず、一時記憶される。
【００４２】
分離データブロック１０ａ，１０ｂ，１０ｃ，１０ｄは、それぞれ、ｅＮＢで一時記憶され、そして、その後、間欠受信期間の開始時に、それぞれ、ＵＥに送信される。これら分離データブロック１０ａ，１０ｂ，１０ｃ，１０ｄは、それぞれ、データ部１２ａ，１２ｂ，１２ｃとして表示されている。なお、データ部１２ｄは図示されていない。
【００４３】
そのような表示された各送信データ部１２ａ−１２ｃはＵＥに受信され、ＵＥでの受信データ１４として、個々には１４ａ，１４ｂ，１４ｃとして図示されている。
【００４４】
データ部１２ａ−１２ｃがｅＮＢから送信され、その後、ＵＥで、それぞれ、１４Ａ−１４Ｃとして受信される態様が、一連の間欠受信期間１６，１８，２０，２２の図示と共に、示されている。
【００４５】
以下に明らかになるように、ＵＥは、それぞれの間欠受信期間１６−２２の開始時に起動している場合に、ＤＬダウンリンク参照信号（ＤＬ ＲＳ）等をｅＮＢから入手できると、間欠受信期間の開始時にデータ受信が可能であることを検知する。そして、間欠受信期間２０に示されるように、受信データが無い場合には、ＵＥは間欠受信期間２０の全体に亘って休止状態を維持でき、これにより、最大の省電力化が図られる。
【００４６】
ＵＥでデータ１４が受信されたとき、ＣＱＩレポートのような信号通信２４が、同様に、ＵＥで開始される。
【００４７】
例えば、ＬＴＥ＿ＡＣＴＩＶＥでのＤＲＸ動作は、図１に示されるような動作である。それぞれのＤＲＸ期間の開始時に、ＵＥは、ＤＬデータを通信可能にするために、起動する。ＵＥは、ＤＬタイミング補正を含む様々な目的のために、ＤＬ ＲＳの測定から開始する。そして、以前にｅＮＢが受信したＣＱＩは長い休止期間の後には無効になっている可能性が高いため、ｅＮＢがスケジューリングのために適切なリンクアダプテーションを選択できるように、ＵＥは、ＣＱＩレポートをｅＮＢに送信する。ｅＮＢが、ＣＱＩレポートを調べて、ＤＲＸ動作でのＵＬタイミング更新のために新しいＴＡ値を計算する。記載されているように、省電力化を最大にするために、休止期間の中間部分で支障なく休止できるように、ＣＱＩレポートは、ＤＲＸ期間中に１回だけ送信される。これは、ＤＲＸ動作でのＵＬタイミング更新にとって効率的な策であることが分かる。なお、ＤＲＸの周期は、ＵＬタイミング更新期間と等しくなる。
【００４８】
具体例として、ＬＴＥ＿ＡＣＴＩＶＥにおいて、連続受信モードの時には、ＵＥは、ＤＬチャネル評価やＣＱＩレポート等のためにＤＬ ＲＳを定期的に調べる。しかしながら、ＤＲＸモードでは、ＵＥは、各ＤＲＸ期間の開始時に起動し、データ受信に備えて、ＤＬタイミング更新とチャネル評価とＣＱＩレポートのためにＤＬ ＲＳを調べる。３ＧＰＰ提言は、ＵＥのＭＩＭＯ受信に対し、ＤＬ ＤＳ１とＤＬ ＲＳ２を必須とし、ＤＬ ＲＳ３とＤＬ ＲＳ４をオプションとすることを提案している。
【００４９】
ＤＬ ＲＳ１での基本的な測定の結果、ＵＥは、図２に示されるように、ＤＬタイミングオフセットを検出できる。ここで、ｅＮＢから送信されるＤＬ ＲＳ１は、ＵＥで受信される信号２８と共に示されている。サブフレーム長３０が、時間ｔ1から時間ｔ2の期間で生じたタイミングオフセットｔと共に、図示されている。
【００５０】
ある期間に亘って、ＤＬ ＲＳ１のタイミングオフセットは、一般的には、ＵＥ移動に起因して発生し、そのタイミングオフセットの大きさは、ＵＥの移動速度に応じたものである。ＵＥの移動速度が速くなるにつれて、ＤＬ ＲＳ１のタイミングオフセットが大きくなる。ＤＬ ＲＳ１のタイミングオフセットに基づいて、ＵＥは、その期間で、ｅＮＢに向かって、あるいは、その逆向きに、どれ位移動したかを容易に計算できる。ＤＲＸ動作中のＵＥの場合、（ｔ2−ｔ1）＝ＤＲＸ周期である。ｅＮＢに向かう方向あるいは逆向きのＵＥの移動速度は、次の式で表される。
【００５１】
【数１】
2010530648.tif 000003
【００５２】
なお、ｃは光速を示す。
【００５３】
この推定された速度は、ＤＲＸ期間にわたって平均を取ることができる。
【００５４】
ＬＴＥ＿ＡＣＴＩＶＥで適用されるＤＲＸ方式において、ＤＲＸ周期の集合（例えば、ＤＲＸ0、ＤＲＸ1・・・、ＤＲＸmax）は、ＵＥに新しい無線ベアラ（ＲＢ）が追加されたとき、又は、ＲＢが無くなったり、変更になったときに、ｅＮＢによって設定され、対象となるＵＥに向けて送信される。ＤＲＸ周期の集合は、一般的に、全ての確立されたＲＢのＱoＳ要求に基づいて、ｅＮＢによって決定される。ＤＲＸmaxの初期値は、２HzのＵＬタイミング更新頻度を確保するために、０．５秒に設定される。このＤＲＸ周期は、ｅＮＢにより制御され、あるいは、現在のＵＥの活動レベルに基づいてＵＥ自らによって決定される。但し、ＤＲＸmaxを超えることはできない。ＤＲＸmaxは、本発明を適用しない場合、あるいは、ＵＥがＵＬタイミングを維持することを要求されているならば、０．５秒よりも小さい値に制限される。
【００５５】
この発明の実施形態では、ＤＬ ＲＳタイミングオフセットを利用してＵＥ速度を推定することによって、ＤＲＸmaxをその速度に応じて、より大きな値に拡大することができる。ＤＲＸmax、ＤＬ ＲＳタイミングオフセットの測定値および推定速度の関係が以下の表に示されている。
【００５６】
【表１】
2010530648.tif 000004
【００５７】
推定速度が、現在のＤＲＸmaxよりも小さい、又は、大きい値に対応する範囲内の速度に分類された場合、ＵＥは、このことを、ｅＮＢに通知し、ＤＲＸmaxの値の更新を促す。
【００５８】
上述したように、ＵＥがＤＲＸ動作を行っている時には、各ＤＲＸ期間毎に１回、ＣＱＩレポートが送信される。ｅＮＢは、新しいＴＡを計算するために、ＣＱＩ信号の到着時刻を測定する。それによって、ｅＮＢは、その時刻によって、ΔＴＡと等しいＵＬタイミングオフセットも分かる。ここで、ＵＬタイミングオフセットをηと記す。上記実施形態に代えて、ｅＮＢに向かう方向、あるいは、その逆方向のＵＥの移動速度を、次式に基づいてｅＮＢで計算してもよい。
【００５９】
【数２】
2010530648.tif 000005
【００６０】
この代替案では、推定速度が、現在のＤＲＸmaxよりも小さい、又は、大きい値に対応する範囲内の速度に分類された場合に、ｅＮＢがＵＥに向けて信号を送信することが、前記実施形態と異なる。
【００６１】
ＤＬ ＲＳタイミングオフセットの測定は、ＵＥがＤＲＸ動作を行っている間、各ＤＲＸ期間毎に１回行われる。その測定頻度は、ＵＥ速度の大きな変化にも十分に対応できるものである。実際に、ＵＥの動きが速くなるにつれ、ＵＥの方向転換までの時間が長くなる。このことは、高速道路の高速自動車が、直角に曲がるために、多くの時間を要することからも分かる。また、多くの自動車が静止状態から時速７０マイルまで加速するのに少なくとも数秒掛かり、また、その逆にも同様の時間を要するため、ＵＥの加速と減速は比較的ゆっくりである。一方、ＵＥが速く動いている場合には、ＵＥが採り得るＤＲＸmax値は、既に０．５秒程度の小さい値に減少していることから、測定は、より規則的に行われる。
【００６２】
この新しい提案の方法は、遅延拡散特性又は"コーナー効果"の突然の変化に起因して生じるＤＬ ＲＳ１タイミングオフセットの測定誤差をかなり許容する。周波数帯域の全体に亘って、又は、複数のＤＲＸ期間に亘って、推定値を平均化することによって、それら誤差の殆どを除去又は低減できる。たとえ残留誤差が、例えば２０％に達する無視できないものであっても、誤差に対して十分なマージンが残るように範囲を調整することが要求されるにすぎない。
【００６３】
この実施形態から分かるように、この発明は、ＵＥが、機能を実現するために、新たな測定を実行することが要求されない。ＤＬ ＲＳ１のタイミングオフセットを得るために、ただ既存の測定値を利用している。それゆえ、この発明は、コスト増加無く最大の省電力化を図るために、ゆっくり移動しているＵＥが、より長いＤＲＸmax期間を採用できるという効果を達成できる。
【００６４】
次に、図３は、この発明を更に図示するものであり、当該図３は、ＬＴＥネットワークのｅＮＢ３２のような移動無線通信ネットワーク装置と、そのネットワークで動作するＵＥ３４との間の信号通信を示すフロー図である。
【００６５】
この信号通信の図は、ＬＴＥ＿ＡＣＴＩＶＥ ＤＲＸモードでもって動作しているＵＥ３４に関する本発明の実施形態を図示している。
【００６６】
この発明に係わるｅＮＢ３２からＵＥ３４への信号通信は、ＲＲＣの信号通信３６により、使用可能な間欠受信（ＤＲＸ）値の範囲がＵＥ３４に送信されることによって開始される。その間欠受信（ＤＲＸ）値の範囲は、ｅＮＢ３２に向かう方向、あるいは、その逆方向におけるＵＥ３４の移動速度の測定値に基づいて設定されたものである。
【００６７】
前記図１に示されるように、図３において１６'，１８'，２０'，２２'で図示されている各間欠受信期間の開始時に、対応するデータブロック３８，４０，４２，４４は、ＵＥ３４に送信される。
【００６８】
ＵＥ３４は、各データブロックを受信したときに通常の測定を行う機能を備え、さらに本発明では、ＵＥ３４は、新しい方法で、データブロック内で生じる信号通信を利用する。
【００６９】
間欠受信期間１８'に示されるように、受信されたデータブロック４０は、より詳細に図示されている。
【００７０】
図３から分かるように、データブロック４０を受信したとき、ＵＥ３４は、ＤＬタイミングの更新に向けタイミングオフセット値を特定するために、４６でＤＬ ＲＳ１信号を測定する機能を持つ。
【００７１】
さらに、ＤＬタイミングオフセット値は、ＵＥ３４の速度を推定することに使用される（４８）。その速度は、ＵＥ３４で使用する間欠受信期間を確定するために、５０で、互いに異なるそれぞれの間欠受信期間に対応したしきい値に比較される。
【００７２】
ステップ５０において、移動速度が、しきい値の一つを超える、又は、下回り、間欠受信期間の変更が適切であると決定された場合には、このことが信号通信５２により、ｅＮＢ３２に通知される。これにより、ＵＥ３４の移動速度に応じた、より効率的な間欠受信期間が設定される。
【００７３】
一方、ステップ５０において、移動速度がいずれのしきい値をも跨いでは変化しないなら、現在の間欠受信期間が維持され、ＵＥ３４が、次の間欠受信期間２０'の開始時に配信されるデータブロック４２を受け取って起動するような時間まで、間欠受信期間１８'のリマインダ（reminder）のため、休止モードを継続する。
【００７４】
上記から明らかなように、この発明は、ＵＥがＤＲＸ動作を行っている間中、ｅＮＢに向かう方向又はその逆方向のＵＥの移動速度を推定するために、ある一定期間に亘って、ＤＬ ＲＳ１のタイミングオフセットを利用する。
【００７５】
それに代えて、ＵＥがＤＲＸ動作を行っている間中、ｅＮＢに向かう方向又はその逆方向のＵＥの移動速度を再度推定するために、ある期間に亘るＴＡの変動が、ＵＬ ＣＱＩ信号を使うことによって、ｅＮＢにより、測定される。
【００７６】
ＵＬタイミング更新頻度は、ＵＥ移動速度の推定値に基づいたものであるから、ゆっくり移動して低い活動レベルにあるＵＥは、ＵＬ同期状態を維持しながら、省電力を最大にするために、より長いＤＲＸ周期を設定できる。
【００７７】
ＤＲＸmaxの変更のための境界パラメータを含む速度しきい値は、ＢＣＨチャネルでブロードキャストされるか、あるいは、ＲＲＣ接続確立中にＵＥに単独で送信される。そのようなしきい値は、ｅＮＢによって、セルの大きさと、サイクリックプレリックス長と、達成可能な測定精度などのうちの少なくとも一つを考慮して、決定される。
【００７８】
ＵＥ速度は、それゆえ、現在のＴＡがどの程度速く無効になるか、すなわち、ＵＥが、ＵＬ同期状態を維持するためにＵＬタイミング更新をどの程度の頻度でもって実行しなければならないかを決定するのに利用される。次に、更新頻度は、ＵＥがＤＲＸの動作中であるときに、当該ＵＥのＤＲＸ周期の上限を決定する。したがって、この発明は、ＵＬタイミングの維持が必要で、かつ、ゆっくり移動して低い活動レベルを持つＵＥに、省電力化を達成するための、より長いＤＲＸ周期を設定できる。
【図１】
2010530648.tif 000006
【図２】
2010530648.tif 000007
【図３】
2010530648.tif 000008
【国際調査報告】
2010530648.tif 000009
2010530648.tif 000010